(57)【要約】      （修正有）【課題】液だれによって内容物が付着、乾燥、固化した場合でも蓋体をスムーズに開放できる容器用注出キャップの提供。【解決手段】注出筒３ｃを有し、容器の口頚部に係合して固定保持されるベース３と、ベースにヒンジ５を介して開閉可能に連結し、注出筒の開孔を封止する蓋体４とを備えた容器用注出キャップにおいて、蓋体を、ベースの上面縁部に沿う下端面を有する外側環状体４ａと、この外側環状体の内側に設けられ、注出筒を取り囲むとともに、外側環状体との相互間にて下向きに開放された環状空間６を形成する内側環状体４ｂとを備えたもので構成する。ベースに、環状空間において起立して外側環状体の下端部内側壁との接触により蓋体の内側を密封状態に保持するシール壁９と、内側環状体の内側壁に着脱自在に係合して蓋体をベースに連係させる環状連係部１０とを設け、内側環状体の、少なくとも前側半周部分に、下端が開放された切り欠き部１１を設ける。【選択図】図１
2014196135.tif 000002
【特許請求の範囲】
【請求項１】
容器内の内容物を注出する注出筒を有し、容器の口頚部に係合して固定保持されるベースと、このベースにヒンジを介して開閉可能に連結し、かつ、該ベースの上端縁部に合わさって該注出筒の開孔を封止する蓋体とを備えた容器用注出キャップであって、
前記蓋体は、前記ベースの上面縁部に沿う下端面を有する外側環状体と、この外側環状体の内側に設けられ、前記注出筒を取り囲むとともに、該外側環状体との相互間にて下向きに開放された環状空間を形成する内側環状体とを備え、
前記ベースに、前記環状空間において起立して前記外側環状体の下端部内側壁との接触により前記蓋体の内側を密封状態に保持するシール壁と、前記内側環状体の内側壁に着脱自在に係合して前記蓋体を前記ベースに連係させる環状連係部とを設け、
前記内側環状体の、少なくとも前側半周部分に、下端が開放された切り欠き部を設けたことを特徴とする容器用注出キャップ。
【請求項２】
前記シール壁と前記環状連係部との相互間に、前記内側環状体の下端部を入れ込むとともに、前記切り欠き部を通して流出した内容物を貯留する環状の溜り溝を設けたことを特徴とする請求項１に記載した容器用注出キャップ。
【発明の詳細な説明】
【技術分野】
【０００１】
本発明は、容器の口頚部に装着され、その先端部に設けられた注出筒を通して容器内の内容物を注出する蓋付きの容器用注出キャップに関するものである。
【背景技術】
【０００２】
容器の口頚部に装着される容器用注出キャップとしては、例えば特許文献１にみられるように、容器内の内容物を注出する注出筒を有し、容器の口頚部にねじあるいはアンダーカットの如き係合手段にて固定保持される嵌着筒と、この嵌着筒の表面に覆いかぶさって容器の口頚部に固定されるキャップ基体と、このキャップ基体の上部に設けられた膨出部に着脱自在に嵌合することによって該注出筒の注出経路を封止する上蓋とを備えた構成のものが知られており、化粧料や飲料あるいは醤油やソース等の調味材を入れる容器に多用されている。
【０００３】
ところで、従来のこの種の注出キャップにあっては、内容物の注出時に注出筒の外側面に沿って内容物が垂れ落ちる（液だれ）ことがあり、これが上蓋とキャップ基体との嵌合部に付着して乾燥、固化した場合に該嵌合部の表面におけるすべりが悪くなり、通常よりも大きな力を付加しなければ上蓋を開けることができない不具合を有していた。
【先行技術文献】
【特許文献】
【０００４】
【特許文献１】特開平９−１５０８５８号公報
【発明の開示】
【発明が解決しようとする課題】
【０００５】
本発明の課題は、液だれした内容物が付着して乾燥、固化した場合に避けられなかった上記の如き従来の不具合を解消して、蓋体のスムーズな開放を実現できる容器用注出キャップを提案するところにある。
【課題を解決するための手段】
【０００６】
本発明は、容器内の内容物を注出する注出筒を有し、容器の口頚部に係合して固定保持されるベースと、このベースにヒンジを介して開閉可能に連結し、かつ、該ベースの上面縁部に合わさって該注出筒の開孔を封止する蓋体とを備えた容器用注出キャップであって、前記蓋体は、前記ベースの上面縁部に沿う下端面を有する外側環状体と、この外側環状体の内側に設けられ、該外側環状体との相互間にて下向きに開放された環状空間を形成する内側環状体とを備え、前記ベースに、前記環状空間において起立して前記外側環状体の下端部内側壁に接触して前記蓋体の内側を密封状態に保持するシール壁と、前記内側環状体の内側壁に着脱自在に係合して前記蓋体を前記ベースに連係させる環状連係部とを設け、前記内側環状体の少なくとも前側半周部分の一部に、下端が開放された欠き部を設けたことを特徴とする容器用注出キャップである。
【０００７】
上記の構成からなる容器用注出キャップにおいては、前記シール壁と前記環状連係部との相互間に、前記内側環状体の下端部を入れ込むとともに、前記切り欠き部を通して流出した内容物を貯留する環状の溜り溝を設けるのが好ましい。
【発明の効果】
【０００８】
上記の構成からなる本発明の容器用注出キャップによれば、蓋体を、ベースの上面縁部に沿う下端面を有する外側環状体と、この外側環状体の内側に設けられ、該外側環状体との相互間にて下向きに開放された環状空間を形成する内側環状体とを備えたもので構成し、ベースに、環状空間において起立して外側環状体の下端部内側壁との接触により蓋体の内側を密封状態に保持するシール壁と、内側環状体の内側壁に着脱自在に係合して蓋体をベースに連係させる環状連係部とを設け、内側環状体の少なくとも前側半周部分の一部に、下端が開放され切り欠き部を設けるようにしたため、液だれした内容物が蓋体とベースとの係合部に付着して乾燥、固化した場合であっても蓋体を開放するとき、内側環状体と環状連係部との係合状態を比較的容易に解除することが可能となり、蓋体をスムーズに開放することができる。しかも、液だれした内容物は、切り欠き部を通して環状空間側へと流れていくため、蓋体とベースとの嵌合部位への内容物の付着は、極少量に留められる。
【０００９】
また、本発明の容器用注出キャップによれば、シール壁と前記環状連係部との相互間に、内側環状体の下端部を入れ込むとともに、前記切欠き部を通して流出した内容物を貯留する環状の溜り溝を設けたため、液だれした内容物は、蓋体の内側に確実に留まることになる。
【００１０】
さらに、本発明の容器用注出キャップによれば、環状空間において起立するシール壁を外側環状体の下端部内側壁に接触させてシールするようにしたため、例えば、内容物の高温充填に際して容器全体を冷却シャワー水（温水）により冷却する場合において注出キャップ内が減圧されても、該減圧が、外側環状体の下端部がシール壁により強く接触させる方向へ作用するため、シール性が高まる。
【図面の簡単な説明】
【００１１】
【図１】本発明にしたがう容器用注出キャップの実施の形態を模式的に示した図であり、（ａ）は平面を示した図であり、（ｂ）は側面を断面で示した図である。
【図２】図１に示した容器用注出キャップの要部断面を拡大して示した図である。
【発明を実施するための最良の形態】
【００１２】
以下、図面を参照して本発明をより具体的に説明する。
図１（ａ）（ｂ）は本発明に従う合成樹脂製の容器用注出キャップを、デラミネーションタイプのスクイズ容器に装着した状態で模式的に示した図である。なお、本発明において内側環状体の「前側」とは、蓋体をヒンジを介してベースに連結している構造の注出キャップにおいて、該ヒンジが設けられている側の対向位置（摘み部が設けられている側）をいうこととする。
【００１３】
図における符号１は、軟質で初期形状に復元可能な合成樹脂からなり、容器の外観形状を形作る外容器（外層体）である。外容器１は、円筒状の口頚部１ａを有する、例えばボトル型形状をなすものが適用されるが、その胴体部分の形状は、内容物の種類や用途に応じて種々変更することができるものであって、ここでは、外容器１の全体形状についての表示はしない。また、口頚部１ａについては円筒状のものを例として示したが、その形状は円筒状のものに限られるわけではなく、種々の形状のものを適宜採用することができる。
【００１４】
また、２は、外容器１の胴体部分のスクイズによって外容器１の内壁面から剥離して減容化することができる内容器〈内層体〉である。この内容器２の内側には充填空間が形成されており、該充填空間に内容物が充填される。
【００１５】
内容器２は、その口頚部２ａが外容器１の口頚部１ａに一体連結しており、その胴体部分の周りにおける少なくとも一箇所には、容器の軸心に沿って外容器１の内壁につながる接合部が設けられており（図示せず）、これにより、内容器２が外容器１内で位置決めされている。なお、接合部は、剥離不能に接着されている部位であるが、該接合部は省略することもできる。
【００１６】
また、符号３は、外容器１の口頚部１ａに着脱自在にねじ止め（アンダーカットによる嵌合でもよい）されるベース（カバー）である。このベース３は、注出キャップの主要構成部材であり、外容器１の口頚部１ａを取り囲んで該口頚部１ａの外周面に設けられたねじ部に係合するねじ部を有する周壁３ａと、この周壁３ａの上端に一体連結して外容器１の口頚部１ａの開口を閉塞する天壁３ｂと、この天壁３ｂの中央部において起立し、その開孔を通して容器内の内容物の注出を可能とする注出筒３ｃから構成されている。
【００１７】
また、４は、ベース３にヒンジ５を介して開閉可能に連結し、かつ、該ベース３の上面縁部に合わさって注出筒３ｃの開孔を封止する蓋体である。
【００１８】
蓋体４は、ベース３の上面縁部の沿う下端面を有する外側環状体４ａと、この外側環状体４ａの内側に設けられ、注出筒３ｃを取り囲むとともに、外側環状体４ａとの相互間にて下向きに開放された環状空間６を形成する内側環状体４ｂと、外側環状体４ａおよび内側環状体４ｂの上端に一体連結し該外側環状体４ａ、内側環状体４ｂと協働して注出筒３ｃの格納空間を形成する天面板４ｃから構成されている。
【００１９】
また、７は、蓋体４の前側（ヒンジ５の対向位置）で、その外周筒４ａの外側面の上部に設けられた摘み部、８は、蓋体４の天面板４ｃの裏面に垂下保持された筒体である。筒体８は、蓋体４を閉じたとき、注出筒３ｃの開孔に嵌合するものであって、これによって内容物の流出を防止している。
【００２０】
９は、ベース３の天壁３ｂの縁部に一体的に設けられ、環状空間６において起立する環状のシール壁である。この環状のシール壁９は、外側環状体４ａの下端部内側壁との接触（面接触）により蓋体４の内側を密封状態に保持する。環状のシール壁９は、外側環状体４ａの下端部内側壁に接触する接触面を有しているため、内容物の高温充填に際して容器全体に冷却シャワー水がかけられて蓋体４内が減圧状態になった場合にその相互の接触圧力が高まり、該冷却シャワー水の、注出キャップ内への侵入を確実に防ぐことができるようになっている。
【００２１】
１０は、シール壁９の内側においてベース３の天壁３ｂに一体的に設けられた環状連係部である。この環状連係部１０は、蓋体４の内側環状体４ｂに着脱自在に係合（アンダーカットによる嵌合）して該蓋体４をベース３に連係させる。環状連係部１０としては、内側環状体４ｂの下端部に設けられた凹部あるいは凸部に適合する凸部あるいは凹部が適用される（図示のものは凸部として表示してある）。
【００２２】
１１は、内側環状体４ｂに形成された切り欠き部である。この切り欠き部１１は、下端が開放された切り欠き端１１ａを有しており、該内側環状体４ｂの前側、すなわち、摘み部７が設けられている側の直近に形成した例として示してある。この切り欠き部１１により内側環状体４ｂは間欠となり、内側環状体４ｂの、環状連係部１０に対する係合が解除されやすくなり、蓋体４とベース３とが係合する部位に液だれした内容物が付着して乾燥、固化したとしても蓋体４のスムーズな開閉が可能となる。しかも、液だれが生じた際に内容物は、該切り欠き部１１を通して環状空間６へと流出するため、その付着量も減少させることができる。
【００２３】
この切り欠き部１１は、この例では、摘み部７が設けられた側の直近に一つ設けた場合について示したが、蓋体４がベース３に所望の強度を維持しつつ嵌合させることができものであれば、その形成位置は内側環状体４ｂのサイドあるいは後側等、適宜変更することが可能であり、図示のものに限定されることはない。また、切り欠き部１１の数、切り欠き幅や形状も適宜変更することができる。なお、切り欠き部１１を間隔をおいて少なくとも二つ設けることも可能であり、この場合にあっては、該切り欠き部１１の間に位置する内側環状体４ｂは、それ自体のベンドが容易になるため蓋体４をスムーズに開放できる一方、蓋体４を閉じる場合には、該内側環状体４ｂ、すなわち、切り欠き部１１の間に位置する内側環状体４ｂについても環状連係部１０に連係することから、内側環状体４ｂの環状連係部１０に対する係合がより一層確実となる。
【００２４】
１２は、シール壁９と環状連係部１０の相互間で、ベース３の天壁３ｂに設けられた環状の溜り溝である。この溜り溝１２は、内側環状体４ｂの下端部を入れ込むとともに、切り欠き部１１を経て流れ出た内容物（液だれにかかる内容物）を貯留する。
【００２５】
溜り溝１２は、その要部を拡大して図２に示すように、内側環状体４ｂが環状連係部１０に係合した状態で、該内側環状体４ｂの外面との間で隙間ｔを形成する溝幅を有しており、この隙間ｔにより、切り欠き部１１を通り抜けた内容物が内側環状体４ｂの背面に回り込んでシール壁９へと流出するのを防止する。
【００２６】
さらに、符号１３は、外容器１の口頚部１ａの突端と、ベース３の天壁３ｂの相互間に配置され、該口頚部１ａと天壁３ｂとによって挟持、固定される中栓である。
【００２７】
この中栓１３は、注出筒３ｃの開孔につながる貫通口１３ａを残して外容器１の口頚部１ａの開口を閉塞する隔壁１３ｂと、この隔壁１３ｂの外縁上面において一体連結してその上端をベース３の天壁３ｂに当接可能な筒体１３ｃと、該隔壁１３ｂの下面外縁部に一体的に設けられ、内容器２の口頚部２ａの内側壁に嵌合可能な嵌合筒１３ｄから構成されている。
【００２８】
１４は、中栓１３の貫通口１３ａを閉塞状態に保持し、外容器１の胴体部分をスクイズすることにより該貫通口１３ａを開放して内容物を注出筒３ｃに向けて流出させる弁体である。この弁体１４は、例えば、ベース３の天壁３ｂの下面に設けられた環状凹部３ｄおよび隔壁１３ｂの上面に設けられた環状凹部１３ｅにそれぞれ上端部、下端部を嵌合させて固定される筒体１４ａと、この筒体１４ａの内側壁に弾性アームを介して支持された弁部１４ｂ（例えば、三点弁等）から構成される。なお、この弁体１４は、図示のものに限定されることはない。
【００２９】
１５は、隔壁１３ｂにおいて開放された開口１５ａを有し、中栓１３の隔壁１３ｂの下面に設けられたサックバック用の貯留室である。この貯留室１５は、隔壁１３ｂの下部に吊り下げ保持され（一体連結したものであってもよいし別部材を組み合わせたものでもよい。また、隔壁１３ｂの上部に立設してもよい。）、その内側に残留内容物の収容空間を形成する底無し筒状の周壁にて形成された貯留室本体１５ｂと、この貯留室本体１５ｂの収容空間内で開口１５ａに近接、離隔する向きに移動可能で、該開口１５ａから離隔する向きへの移動にて残留内容物を該開口１５ａを通して収容空間に引き込むスライダー（例えば球体等）１５ｃから構成されている。前記開口１５ａは、弁体１４によって一部分が覆われていてもよいが、該弁体１４によって完全には閉塞されておらず、常時開放された状態にある。
【００３０】
また、１６は、貯留室本体１５ｂを形成する周壁の上端部位に設けられ、スライダー１５ｃの、開口１５ａからの抜け出しを防止する少なくとも１つの突起、１７は、貯留室本体１５ｂの下部に設けられた末端開口である。
【００３１】
末端開口１７は、スライダー１５ｃよりもサイズが小さくなっており、突起１６と末端開口１７の範囲内でスライダー１５ｃを移動させる。
【００３２】
内容物の注出に際して容器を傾動姿勢にするか、あるいは反転姿勢にするとスライダー１５ｃは、開口１５ａに最も近接するように移動する。一方、内容物の注出を終えて容器を正位姿勢に戻すと該スライダー１５ｃは、その自重、または内容器２の復元力によって生じる負圧により開口１５ａから離隔する向き、すなわち、末端開口１７に向けて移動することとなり、この時、隔壁１３上面に存在する残留内容物は、開口１５ａを通して貯留室１５の収納空間へと引き込まれることとなり、これにより液だれが回避される。
【００３３】
スライダー１５ｃと貯留室本体１５ｂを形成する周壁との間には、わずかな隙間が形成されていてもよいが、内容物の表面張力等を考慮して残留内容物がその隙間を通り抜けることがない隙間設定がなされており、残留内容物は収容空間に確実に収容され、外気に触れた内容物（残留内容物）が貯留室本体６ｂを通じて容器内へ入り込むのを回避する。
【００３４】
スライダー１５ｃは、合成樹脂製や金属製のものを適用することが可能であって、とくに金属製のものを適用する場合には、自重によるスムーズな移動が可能となりサックバック効果をより一層高めることができる。スライダー１５ｃを金属製の部材で構成する際にはその表面を樹脂で被覆したものを用いてもよく、これにより内容物の品質が安定的に維持される。
【００３５】
スライダー１５ｃは、この例では、球状体を例として示したが、貯留室本体１５ｂ内でのスムーズな移動が可能であるならばその形状は適宜変更可能であり、図示のものには限定されない。なお、スライダー１５ｃは、それを乗り越えて内容物および／または空気が内容器２内に実質的に流通することがないように設計されている。
【００３６】
また、１８は、ベース３の天壁３ｂの段差部の少なくとも１箇所（好ましくは２箇所）に設けられ、該ベース３の内外をつなぐ外気導入孔、１９は外容器１の口頚部１ａに設けられ、内容器２につながる横向の開孔、２０は、中栓１３の筒体１３ｃに設けられた貫通路、２１は、外容器１の口頚部１ａの外側壁に設けられた縦溝である。
【００３７】
外気導入孔１８を通してベース３内に外気が入り込むと、該外気は、貫通路２０、縦溝２１および開孔１９を通して内容器２と外容器１との相互間に導入される。
【００３８】
２２は、弁体１４を構成する筒体１４ａの外側壁に片持ち支持状態で一体連結した外気導入弁である。この外気導入弁２２は、その自由端が、ベース３の天壁３ｂの下面に設けられた弁座部３ｅに離反可能に当接して外気導入孔１８を閉状態に保持するディスク状の弾性舌片から構成されている。
【００３９】
外気導入弁２２は、外容器１の胴体部分に加えた力（スクイズのための力）を取り除いて該外容器１が初期形状に復元する際に開放するものであり、内容器２と外容器１との相互間へ外気を導入することにより外容器１は速やかに初期形状へと復帰し、かつ、スクイズ動作により内容器２を押し潰すときには閉塞状態に保たれ、内容器２の中に充填された内容物を確実に排出する。
【００４０】
外気導入弁２２と、弁体１４とは、筒体１４ａを介してそれらを相互に一体連結することが可能であり、これにより部品点数を削減することができるが、筒体１４ａと外気導入弁２２とは、別部材で構成してもよく、この点については限定されない。
【００４１】
上記の構成からなるスクイズ容器において、内容器２内に充填された内容物を注出するには、容器を傾動、反転姿勢に保持して外容器１の胴体部分をスクイズする。そうすると、それに伴い内容器２は減容（縮減）するとともに、その中に充填された内容物が、口頚部２ａ、中栓１３の貫通口１３ａを通り注出筒３の開孔から排出される。このとき、スライダー１５ｃは、開口１５ａに近接したところ（突起１６が設けられた部位）に位置する。
【００４２】
スクイズ動作を停止すると、貫通口１３ａは弁体１４により、すぐさま閉塞状態に保持されるとともに、外気導入弁２２の弾性舌片が天壁３ｂに形成された弁座部３ｅから離反して外気導入孔１８が開放され、これにより外容器１と内容器２との相互間への外気の導入により該外容器１は速やかに初期形状（潰れる前の形状）へと復帰する。
【００４３】
スクイズ動作の停止と同時に容器を正位姿勢（起立姿勢）に戻すと、注出筒３から弁体１４に至るまでの空間に残留する内容物は、スライダー１５ｃが末端開口１７に向けて移動する間に、該スライダー１５ｃの移動に伴うサックバックによって、貯留室１５の収容空間へと引き込まれることとなる。
【００４４】
内容物の引き込み量は、スライダー１５ｃの移動量、収容空間の容積によって決定されるものであり、この点は適宜設定される。
【００４５】
なお、上掲図１（ａ）（ｂ）においては、外容器１を外層体で構成し、内容器２を内層体で構成し、内容物の注出量が多くなるに従って該内層体２が外層体１から剥離して減容していくデラミネーションタイプのスクイズ容器を例として示したが、本発明は、外容器１の内側に内容物を充填した内容器２を組み付けた二重容器あるいは内容器を有しない単層の容器に適用することも可能であり、図示のものに限定されることはない。
【００４６】
また、上記実施の形態では貯留室本体１５ｂの下部に末端開口１７を備えた底無し筒状の周壁にて収容空間を形成した貯留室１５を適用した場合について示したが、該貯留室１５としては底部を有するものを用いることもできる。この場合、貯留室本体１５の周壁の内面には、開口１５ａから底部へ向けて伸延する少なくとも１本の導通溝を設けておき、この導通溝を通して残留内容物を底部へ流し込むことによりスライダー１５ｃのスムーズな移動が可能となる。
【００４７】
本発明にしたがう容器用注出キャップは、液だれにより注出筒３ｃの外周壁からベース３の天壁３ｂに沿って内容物が流れ落ちて該内容物が蓋体４とベース３との係合部に付着し、それが乾燥、固化したとしても、切り欠き部１１により、内側環状体４ｂの、環状連係部１０に対する係合が解除されやすくなるため、蓋体４の開放操作に際して大きな力を加える必要がなく、スムーズな開放が可能となる。
【００４８】
加えて、液だれした内容物は、溜り溝１２に貯留されることになり、係合部における内容物の付着量を減少させることができる。
【産業上の利用可能性】
【００４９】
本発明によれば、液だれにより内容物が蓋体とベースとの係合部に付着して乾燥、固化して該係合部におけるすべりが悪くなった場合であっても、蓋体をスムーズに開放し得る注出用キャップが提供できる。
【００５０】
また、本発明によれば、蓋体内への水分（冷却シャワー水等）の侵入を阻止し得るシール性の高い容器用注出キャップが提供できる。
【符号の説明】
【００５１】
１      外容器
１ａ    口頚部
２      内容器
２ａ    口頚部
３      ベース
３ａ    周壁
３ｂ    天壁
３ｃ    注出筒
３ｄ    環状凹部
３ｅ    弁座部
４      蓋体
４ａ    外側環状体
４ｂ    内側環状体
４ｃ    天面板
５      ヒンジ
６      環状空間
７      摘み部
８      筒体
９      シール壁
１０    環状連係部
１１    切り欠き部
１１ａ  切り欠き端
１２    溜り溝
１３    中栓
１３ａ  貫通口
１３ｂ  隔壁
１３ｃ  筒体
１３ｄ  嵌合筒
１３ｅ  環状凹部
１４    弁体
１４ａ  筒体
１４ｂ  弁部
１５    貯留室
１５ａ  開口
１５ｂ  貯留室本体
１５ｃ  スライダー
１６    突起
１７    末端開口
１８    外気導入孔
１９    開孔
２０    貫通路
２１    縦溝
２２    外気導入弁
【図１】
2014196135.tif 000003
【図２】
2014196135.tif 000004